(57)【要約】【課題】機能性成分の拡散を抑制して所望位置に搬送する場合に、機能性成分の使用量を低減可能な送風装置を提供する。【解決手段】送風装置１１は、筐体１２に、筐体１２外の空気を取り入れる吸入口と、吸入口から取り入れた空気を高圧空気にする高圧空気発生部と、高圧空気を吹き出す吹出口２０と、吹出口２０から吹き出す高圧空気に誘引されて筐体１２外の空気を吸い込む複数の誘引空気吸込口２２と、誘引空気吸込口２２に吸い込まれた空気を混合する誘引空気混合部２３と、誘引空気混合部２３の誘引空気を吹き出す誘引空気吹出口２４と、誘引空気混合部２３に機能性成分を導入する機能性成分導入部と、吹出口２０から高圧空気が吹き出される領域を含む周辺画像を生成する撮像部４１とを備え、機能性成分導入部は、撮像部４１により生成された周辺画像の中に、所定の画像（対象物４８）が含まれる場合に、誘引空気混合部２３への機能性成分の導入を開始する。【選択図】図１
2020002793.tif 000002
【特許請求の範囲】
【請求項１】
筐体に、前記筐体外の空気を取り入れる吸入口と、
前記吸入口から取り入れた空気を高圧空気にする高圧空気発生部と、
前記高圧空気を吹き出す吹出口と、
前記吹出口から吹き出す前記高圧空気に誘引されて前記筐体外の空気を吸い込む複数の誘引空気吸込口と、
前記誘引空気吸込口に吸い込まれた空気を混合する誘引空気混合部と、
前記誘引空気混合部の誘引空気を吹き出す誘引空気吹出口と、
前記誘引空気混合部に機能性成分を導入する機能性成分導入部と、
前記吹出口から前記高圧空気が吹き出される領域を含む周辺画像を生成する撮像部と、を備え、
前記機能性成分導入部は、前記撮像部により生成された周辺画像の中に、所定の画像が含まれる場合に、前記誘引空気混合部への機能性成分の導入を開始することを特徴とする送風装置。
【請求項２】
前記機能性成分導入部は、前記撮像部により生成した周辺画像の中に、前記所定の画像が含まれない場合に、前記誘引空気混合部への機能性成分の導入を停止することを特徴とする請求項１に記載の送風装置。
【請求項３】
前記所定の画像は、利用者の頭部または顔を示す画像であり、
前記誘引空気吹出口は、前記利用者の頭部または顔に向かって誘引空気を吹き出すことを特徴とする請求項１または２に記載の送風装置。
【請求項４】
前記所定の画像は、第１利用者の頭部または顔を示す第１画像あるいは前記第１利用者とは異なる第２利用者の頭部または顔を示す第２画像であり、
前記誘引空気吹出口は、前記第１画像が含まれる場合と前記第２画像が含まれる場合とで種類の異なる機能性成分を導入することを特徴とする請求項１〜３のいずれか一項に記載の送風装置。
【発明の詳細な説明】
【技術分野】
【０００１】
本発明は、居室内の机上や床面に設置され、直接気流による体感温度の低下あるいは室内の空気の循環に使用される扇風機、天井扇などの送風装置に関し、特に機能性成分を気流内に導入可能な送風装置に関するものである。
【背景技術】
【０００２】
従来、送風装置として、機能性成分の拡散を抑制して所望位置に搬送することが可能な機能性成分搬送装置が開示されている（例えば、特許文献１参照）。
【０００３】
以下、従来の機能成分搬送装置について図７を参照しながら説明する。
【０００４】
図７は、従来の機能性成分搬送装置の概略図を示す。図７に示すように、従来の機能性成分搬送装置Ｓは、層流からなる搬送流Ｈを所定方向に生成する搬送流生成手段と、機能性成分を搬送流内に導入する機能性成分導入手段１０６とを備え、搬送流Ｈにより該機能性成分を所望位置まで搬送する構成である。搬送流生成手段は、複数の気筒１０５及び収束具Ｂを備えて気流を整流する搬送流整流器１０４と、搬送流整流器１０４を所定方向に向ける把持具１０３及び搬送流の流速を調整する流速調整手段１２１，１２２とを備える。機能性成分導入手段１０６は、機能性成分を空気中に放出させて搬送流の中心寄りに配送される搬送流内Ｎ内に導入する。これにより、従来の機能性成分搬送装置Ｓは機能性成分の拡散を抑制して所望位置に搬送し得るようにしている。
【先行技術文献】
【特許文献】
【０００５】
【特許文献１】特開２０１５−１６７７９６号公報
【発明の概要】
【発明が解決しようとする課題】
【０００６】
こうした機能性成分搬送装置では、機能性成分を所望位置へ拡散を抑制して精度よく搬送することで機能性成分の使用量低減を実現しているが、さらなる機能性成分の使用量の低減が求められている。
【０００７】
そこで本発明は、上記従来の課題を解決するものであり、機能性成分の拡散を抑制して所望位置に搬送する場合に、機能性成分の使用量を低減可能な送風装置を提供することを目的とする。
【課題を解決するための手段】
【０００８】
そして、この目的を達成するために、本発明のある態様の送風装置は、筐体に、筐体外の空気を取り入れる吸入口と、吸入口から取り入れた空気を高圧空気にする高圧空気発生部と、高圧空気を吹き出す吹出口と、吹出口から吹き出す高圧空気に誘引されて筐体外の空気を吸い込む複数の誘引空気吸込口と、誘引空気吸込口に吸い込まれた空気を混合する誘引空気混合部と、誘引空気混合部の誘引空気を吹き出す誘引空気吹出口と、誘引空気混合部に機能性成分を導入する機能性成分導入部と、吹出口から高圧空気が吹き出される領域を含む周辺画像を生成する撮像部と、を備える。機能性成分導入部は、撮像部により生成された周辺画像の中に、所定の画像が含まれる場合に、誘引空気混合部への機能性成分の導入を開始する。これにより所期の目的を達成するものである。
【発明の効果】
【０００９】
本発明によれば、機能性成分の拡散を抑制して所望位置に搬送する場合に、機能性成分の使用量を低減可能な送風装置を提供することができる。
【図面の簡単な説明】
【００１０】
【図１】本発明の実施の形態１の送風装置の斜視図
【図２】図１の送風装置の構成を示す断面図
【図３】図１の送風装置の風路構成を示す断面図
【図４】（ａ）図１の送風装置の正面図、（ｂ）図１の送風装置における撮像部の撮像領域を示す上面図
【図５】図１の送風装置における撮像部の機能ブロック図
【図６】図１の送風装置の動作を表すフローチャート図
【図７】従来の機能性成分搬送装置の一例を示す概略図
【発明を実施するための形態】
【００１１】
本発明の送風装置は、筐体に、筐体外の空気を取り入れる吸入口と、吸入口から取り入れた空気を高圧空気にする高圧空気発生部と、高圧空気を吹き出す吹出口と、吹出口から吹き出す高圧空気に誘引されて筐体外の空気を吸い込む複数の誘引空気吸込口と、誘引空気吸込口に吸い込まれた空気を混合する誘引空気混合部と、誘引空気混合部の誘引空気を吹き出す誘引空気吹出口と、誘引空気混合部に機能性成分を導入する機能性成分導入部と、吹出口から高圧空気が吹き出される領域を含む周辺画像を生成する撮像部と、を備え、機能性成分導入部は、撮像部により生成された周辺画像の中に、所定の画像が含まれる場合に、誘引空気混合部への機能性成分の導入を開始することを特徴とするものである。
【００１２】
これにより、対象物となる所定の画像が検出された場合に、機能性成分が送風装置から発生し、検出された所定のものに向かって気流とともに機能性成分が噴出されるため、対象物に対して効果的に機能性成分を導入して送風することができ、機能性成分の使用量が低減される送風装置を提供できる。
【００１３】
また、機能性成分導入部は、撮像部により生成した周辺画像の中に、所定の画像が含まれない場合に、誘引空気混合部への機能性成分の導入を停止することを特徴とするものである。これにより、対象物となる所定の画像が検出されない場合には、気流は吹き出すが、機能性成分は含まれず、利用空間には送風装置からの空気の動きのみが発生することで、対象物がない場合の不必要な機能性成分の導入をなくすことができる。
【００１４】
また、所定の画像は、利用者の頭部または顔を示す画像であり、誘引空気吹出口は、利用者の頭部または顔に向かって誘引空気を吹き出すことを特徴とするものである。これにより、利用者の頭部または顔に空気が吹き出されることで、より気流や機能性成分を感知し、利用者の頭部または顔以外の個所への送風の際に、不必要な機能性成分の導入をなくすことができる。
【００１５】
また、所定の画像は、第１利用者の顔を示す第１画像あるいは第１利用者とは異なる第２利用者の顔を示す第２画像であり、誘引空気吹出口は、第１画像が含まれる場合と第２画像が含まれる場合とで種類の異なる機能性成分を導入することを特徴とするものである。これにより、利用者の区別が可能となり、それぞれの人の好みの機能性成分を利用者ごとで変化したものを送風できる。そのため、利用者に合っていない機能性成分の導入を削減できる。
【００１６】
（実施の形態１）
本発明を具体的に説明する前に、概要を述べる。本発明の実施の形態は、居室内の机上や床面に設置され、直接気流による体感温度の低下あるいは室内の空気の循環に使用される扇風機、天井扇などの送風装置のうち、機能性成分を気流内に導入可能な送風装置に関するものである。本実施の形態の送風装置は、環状の吹出口から吹出す高圧空気（吹出気流）と、吹出口から吹出す空気に誘引されて内側の誘引空気吹出口から吹出す誘引空気（誘引気流）とを用いて送風する際に、誘引気流に対して機能性成分を導入することで、機能性成分の拡散を抑制して所定位置に搬送する。
【００１７】
ここで、機能性成分を気流内に導入する場合、送風動作時に機能性成分を導入し続けることは機能性成分の使用量増加につながり望ましくない。本実施の形態の送風装置は、撮像部を備え、撮像部により生成された周辺画像の中に、対象物となる所定の画像が含まれる場合に、送風装置から送風される気流内への機能性成分の導入を開始する。このため、対象物がない場合の不必要な機能性成分の導入をなくすことができ、機能性成分の使用量を低減することが可能になる。
【００１８】
以下、本実施の形態について、図面を参照して詳細に説明する。なお、以下に説明する各実施の形態は一例であり、本開示はこれらの実施の形態により限定されるものではない。
【００１９】
図１に本発明の実施の形態１の送風装置の斜視図を示す。図２に同送風装置の構成を示す断面図を示す。図３に同送風装置の風路構成を示す断面図を示す。
【００２０】
図１に示すように、送風装置１１は、筐体１２が略球形状のボール型ファン１３と、ボール型ファン１３を載せて設置できる卓上設置台１４より構成している。
【００２１】
ボール型ファン１３は、環形状の吹出口２０から吹き出す高圧空気（吹出気流４６）と、吹出口２０から吹き出す空気に誘引されて内環側に位置する誘引空気吹出口２４から吹き出す誘引空気（誘引気流４７）とを用いて対象物４８に対して送風を行う。この際、ボール型ファン１３は、誘引気流４７に対して機能性成分を導入することが可能となっている。ボール型ファン１３は、送風時には、撮像部４１により生成された周辺画像の中に、所定の画像（対象物４８）が含まれる場合に、誘引気流４７内への機能性成分の導入を開始する。一方、撮像部４１により生成した周辺画像の中に、所定の画像（対象物４８）が含まれない場合に、誘引気流４７内への機能性成分の導入を停止する。なお、詳細については後述する。
【００２２】
図２および図３に示すように、送風装置１１は、ボール型ファン１３の筐体１２として、外壁１５ａと内壁１５ｂの二重壁を有する。また、送風装置１１は、空気を取り入れる吸込口１６と、高圧空気を発生するためのファン１７とファン１７を駆動するためのモータ１８で構成された高圧空気発生手段１９と、高圧空気を吹き出すための環形状の吹出口２０と、高圧空気をファン１７から吹出口２０に導く第一風路２１とを備える。また、送風装置１１は、吹出口２０から吹き出す空気に誘引されて空気を吸い込む複数（本実施の形態では６個）の誘引空気吸込口２２と、複数の誘引空気吸込口２２に吸い込まれた空気を混合する誘引空気混合部２３と、誘引空気混合部２３に機能性成分を導入する機能性成分導入部４０と、誘引された空気を吹き出す誘引空気吹出口２４と、誘引空気吸込口２２と誘引空気混合部２３と誘引空気吹出口２４を連通する第二風路２５とを備える。送風装置１１は、このように構成されるものである。
【００２３】
また、第一風路２１は外壁１５ａと内壁１５ｂと貫通壁２６で構成され、第二風路２５は内壁１５ｂと第一風路２１を貫通する貫通壁２６とで構成され、誘引空気吹出口２４は吹出口２０の内環を構成する内壁１５ｂに囲まれて構成されるものである。
【００２４】
ここで、複数の誘引空気吸込口２２は環形状の吹出口２０の軸中心から放射状に備えられており、吸込口１６と吹出口２０が対向する位置に筐体１２の球形状の中心を通る同軸上に備えられた構成となっている。また、本実施の形態では筐体１２を球形状で表したが、筐体１２の形状としては特にこれに限定されるものではなく、卓上設置台１４に載せた際に、自由に向きを変えられる形状であれば良く、例えば、つぼ型、半球形状、アーモンド形状などであってもよい。また、環形状とは円に限定されるものではなく、環になっていれば多角形や曲線で構成された形状であってもよい。また環形状は性能に影響が出ない範囲であればリブなどにより部分的に途切れることがあっても問題はない。
【００２５】
卓上設置台１４は、ボール型ファン１３と分離可能に構成しており、それぞれ独立している。卓上設置台１４は、図２に示すように、ボール型ファン１３を載せて置いた際、筐体１２の外表面を環状に接触して支持できるように、一例として外形形状を円筒形とした支持部２７の上面に、円形状の支持面２８を有し、支持部２７の下方に支持部２７を保持する基部２９で構成している。支持面２８の形状は、円形に限定するものではなく、筐体１２の外表面と３箇所以上で接触できれば、多角形状などであってもよい。尚、ボール型ファン１３の吸込口１６又は誘引空気吸込口２２の一部又は全部が卓上設置台１４の支持面２８と重なる場合、外気はまず、支持部２７に設けた外部開口部３２から取り入れられ、設置台風路３４を通過して支持面開口部３３に流れた後、吸込口１６又は誘引空気吸込口２２に吸引される。更に、設置台風路３４中に設けたフィルター３５により吸込空気が浄化される。一方、ボール型ファン１３を卓上設置台１４に例えば斜めに載せた際、ボール型ファン１３の吸込口１６又は誘引空気吸込口２２が卓上設置台１４の支持面２８と重ならない場合は、外気は直接、吸込口１６及び誘引空気吸込口２２に吸引されて送風されることとなる。
【００２６】
図３に示すように、卓上設置台１４の支持部２７は回転軸３０を有し、基部２９の軸受３１と嵌合される。卓上設置台１４は、内蔵する駆動モータ（図示せず）を用いて回転軸３０を回転させることによって、支持部２７を回転させ、これに連動してボール型ファン１３を自動で回転（あるいは首振り）させる動作が可能となっている。また、卓上設置台１４の基部２９はスライド機構を有する高さ調整手段３６を有している。卓上設置台１４は、内蔵する駆動モータ（図示せず）を用いてスライドさせることによって、支持部２７の高さを変更し、これに連動してボール型ファン１３の設置高さを自動で変更させる動作が可能となっている。
【００２７】
図３に示すように、機能性成分導入部４０は、第二風路２５内の誘引空気混合部２３に位置するように、高圧空気発生手段１９のモータ１８近傍に設置される。機能性成分の導入には公知の技術が使用されればよいので、ここでは詳細な説明を省略するが、例えば、供給カートリッジから導入される機能性成分のガス化あるいは放電によるイオン化によって機能性成分を誘引空気混合部２３中に放出させて導入する。機能性成分は、誘引空気混合部２３に放出されることによって、機能性成分を含む誘引気流４７として送風装置１１の誘引空気吹出口２４から筐体１２外部へ吹き出す。機能性成分としては、例えば、利用者の眠気を覚ます作用のある香料、あるいは利用者をリラックスさせる効果がある芳香成分などが挙げられる。なお、機能性成分導入部４０から導入される機能性成分は一つに限らず、構成上可能な限り設けることができる。この構成により、複数の機能性成分を交互または同時に発生することも可能となる。
【００２８】
図４に送風装置の正面図および撮像部の撮像領域を示す上面図を示す。図４（ａ）に示すように、撮像部４１は、ボール型ファン１３の吹出口２０（誘引空気吹出口２４）を挟んで卓上設置台１４と反対側の位置において、吹出口２０と隣接して取り付けられている。また、図４（ｂ）に示すように、撮像部４１は、送風装置１１の前方（吹出気流４６および誘引気流４７の吹き出し方向の撮像領域４９）を撮像できるように取り付けられている。撮像部４１は、送風装置１１の前方（撮像領域４９）の空間の様子を示す周辺画像を繰り返し生成し、生成した周辺画像の中に、所定の画像（例えば、図１の対象物４８）が含まれるか否かを検出する。
【００２９】
図５に撮像部４１の機能ブロック図を示す。図５に示すように、撮像部４１は、撮像素子部４２と、検出部４３と、出力部４４とを備える。
【００３０】
撮像素子部４２は、吹出口２０から高圧空気が吹き出される領域を含む送風装置１１の前方（撮像領域４９）を繰り返し撮像するカメラである。撮像素子部４２は、撮像した送風装置１１の前方（撮像領域４９）の空間の様子を示す周辺画像を繰り返し生成し、検出部４３に出力する。
【００３１】
検出部４３は、パターンマッチング（テンプレートマッチング）等の公知の手法により、周辺画像内に含まれる種々の物体を検出し、言い換えれば撮像対象空間内に存在する物体を検出する。検出対象の物体（対象物４８）は、例えば、人物（人物の上半身）あるいは人物の頭部（または顔）などである。本実施の形態では、検出部４３は、パターンマッチングのパターン（所定の画像）として、人物の上半身を示すパターン（第一パターン画像）を記憶する。検出部４３は、周辺画像の中に第一パターン画像が含まれる場合、そのことをパターンマッチングにより検出する。出力部４４は、検出部４３でパターンマッチングにより特定した物体を示す検出情報を機能性成分導入部４０に出力する。また、出力部４４は、検出部４３で検出対象の物体が検出されない場合には、非検出情報を機能性成分導入部４０へ出力する。
【００３２】
機能性成分導入部４０は、撮像部４１の出力部４４からの情報（検出情報あるいは非検出情報）に基づいて、誘引空気（誘引気流４７）への機能性成分の導入の開始あるいは停止を決定する。
【００３３】
次に、送風装置１１の送風方法について図３を用いて説明する。
【００３４】
筐体１２の内部に設けた高圧空気発生手段１９を駆動させて空気流を発生させると、吸込口１６から外気を取り入れてファン１７で昇圧し、高圧空気となった気流は、実線矢印で示すように、第一風路２１を通過して吹出口２０から送風される。このとき、環状の吹出口２０の内側は負圧となるため、点線矢印で示すように、誘引空気吸込口２２から外気が誘引され、誘引された空気は第二風路２５を通過して誘引空気吹出口２４から送風される。このとき、複数の誘引空気吸込口２２から誘引された空気は第二風路２５中に設けた誘引空気混合部２３で混合され、誘引空気吹出口２４の方向に流れを変更された状態で誘引空気吹出口２４からまとまった状態で吹出されるため、吹出された空気は中心部にコア領域が形成されるため直進性に優れ、遠方まで風速の減衰が少なく到達する気流を効率よく生み出すことができる。ここで、高圧空気とは大気圧以上の空気を示すものとする。
【００３５】
ここで、撮像部４１における出力部４４は、検出部４３から検出情報（所定の画像が撮像領域４９に含まれる場合）を得ると、誘引空気混合部２３への機能性成分の導入を開始する指示信号を機能性成分導入部４０へ出力することとなる。そうすることで、機能性成分導入部４０は、機能性成分の導入を開始し、機能性成分は第二風路２５内から誘引空気として、誘引空気吹出口２４からまとまって放出される。
【００３６】
図６に、送風装置の動作を表すフローチャートを示す。図６を用いて、送風装置１１が機能性成分を吹き出すための制御方法を詳しく説明する。
【００３７】
送風装置１１の電源が入り機能性成分導入モードがオンになると、ボール型ファン１３が水平方向に自動で回転（あるいは首振り）し始め、撮像部４１は処理を開始する。撮像部４１の撮像素子部４２は、送風装置１１の前方を含む領域（撮像領域４９）の様子を示す周辺画像を繰り返し生成する（ステップＳ１０）。撮像部４１の検出部４３は、周辺画像に基づいて撮像対象空間内に存在する物体を検出する（ステップＳ１２）。検出された物体の中に、所定の画像に対応する物体（対象物４８）が存在する場合（ステップＳ１４のＹ）、機能性成分導入部４０は、誘引気流４７に対して機能性成分の導入を開始する（ステップＳ１６）。送風装置１１は、機能性成分の導入の開始後に所定の終了条件（例えば、機能性成分導入モードがオフ）を満たせば（ステップＳ２０のＹ）、撮像部４１は処理を停止する。所定の終了条件を満たさなければ（ステップＳ２０のＮ）ステップＳ１０に戻り、周辺画像の生成から繰り返す。ここで、検出された物体の中に、所定の画像に対応する物体が存在しない場合（ステップＳ１４のＮ）、機能性成分導入部４０は、誘引気流４７に対する機能性成分の導入を停止する（ステップＳ１８）。機能性成分の導入の停止後に所定の終了条件（例えば、機能性成分導入モードがオフ）を満たせば（ステップＳ２０のＹ）、撮像部４１は処理を停止する。所定の終了条件を満たさなければ（ステップＳ２０のＮ）ステップＳ１０に戻り、周辺画像の生成から繰り返す。
【００３８】
上記構成により実現される本実施の形態の送風装置１１によれば、環形状の吹出口２０から吹き出す吹出気流４６が障壁となって、その内環側で吹き出す誘引気流４７が送風装置１１の周囲の静止空気（吹出気流４６の外側の静止空気）と混ざり合うことが抑制されるので、誘引気流４７に導入される機能性成分を所望の位置まで効率よく搬送することができ、機能性成分の使用量を低減することができる。また、誘引気流４７は吹出口２０から吹き出す空気に誘引されて自動的に発生するため、新たに送風機構を設ける必要がなく、こうした送風装置１１を低コストで実現することができる。
【００３９】
また、本実施の形態の送風装置１１によれば、対象物４８となる所定の画像が含まれることが検出部４３によって検出された場合には、機能性成分が送風装置１１から発生し、検出された所定の対象物４８に向かって気流とともに機能性成分が吹き出されるため、対象物４８に対して効果的に機能性成分を導入して送風することができる。
【００４０】
また、本実施の形態の送風装置１１によれば、機能性成分導入部４０は、撮像部４１により生成した周辺画像の中に、所定の画像が含まれない場合に、誘引空気混合部２３への機能性成分の導入を停止することができる。これにより、対象物４８となる所定の画像が検出されない場合には、気流は吹き出すが、誘引気流４７に機能性成分は導入されず、利用空間には送風装置１１からの空気の動きのみが発生することで、対象物４８がない場合の不必要な機能性成分の導入をなくすことができる。
【００４１】
以上、本開示に関して実施の形態をもとに説明した。これらの実施の形態は例示であり、それらの各構成要素や各処理プロセスの組合せにいろいろな変形例が可能なこと、またそうした変形例も本開示の範囲にあることは当業者に理解されるところである。
【００４２】
本実施の形態において、撮像部４１の検出部４３は、パターンマッチングのパターン（所定の画像）として、人物の頭部または顔を示すパターン（第二パターン画像）を記憶し、周辺画像の中に第二パターン画像が含まれる場合、そのことをパターンマッチングにより検出するようにしてもよい。その際、検出した人物の頭部または顔の位置に対応させて、卓上設置台１４の高さ調整手段３６を用いてボール型ファン１３の高さを自動調整するようにしてもよい。このようにすることで、所定の画像として、利用者の頭部または顔を示す画像を検出した場合には、誘引空気吹出口２４は、利用者の頭部または顔を検出したタイミングで、利用者の頭部または顔に向かって誘引気流４７を吹き出すようにできる。利用者の頭部または顔に空気が吹き出されることで、利用者はより気流あるいは機能性成分を感知しやすくなるとともに、利用者の頭部または顔以外の個所への送風の際に、不必要な機能性成分の導入をなくすことができる。
【００４３】
本実施の形態において、撮像部４１の検出部４３は、パターンマッチングのパターン（所定の画像）として、第１利用者の頭部または顔を示すパターン（第三パターン画像）と第１利用者とは異なる第２利用者の頭部または顔を示すパターン（第四パターン画像）とを記憶し、周辺画像の中に第三パターン画像あるいは第四パターン画像が含まれる場合、そのことをパターンマッチングにより検出するようにしてもよい。その際、検出した利用者（第１利用者あるいは第２利用者）に対応させて、機能性成分導入部４０にて導入する機能性成分の種類を自動調整するようにしてもよい。
【００４４】
このようにすることで、所定の画像として、第１利用者の頭部または顔を示す第一画像（第三パターン画像に相当）あるいは第１利用者とは異なる第２利用者の頭部または顔を示す第二画像（第四パターン画像に相当）を検出した場合には、誘引空気吹出口２４は、利用者の頭部または顔を検出したタイミングで、第一画像が含まれる場合と第２画像が含まれる場合とで種類の異なる機能性成分を吹き出す構成とすることができる。具体的には、検出部４３で第１利用者の頭部または顔を検出した場合、機能性成分導入部４０から第１機能性成分を誘引空気混合部２３へ導入し、第２利用者の頭部または顔を検出した場合、機能性成分導入部４０から第２機能性成分を誘引空気混合部２３へ導入することとなる。これにより、送風装置１１の周辺にいる利用者の区別が可能となり、それぞれの好みの機能性成分を利用者ごとで変化したものを送風できる。そのため、利用者に合わない機能性成分の導入を削減できる。
【産業上の利用可能性】
【００４５】
本発明にかかる送風装置は、対象物となる所定の画像が検出された場合に、機能性成分が送風装置から発生するが、対象物に対して効果的に機能性成分を導入して送風することができ、機能性成分の使用量が低減される送風装置を提供できる。
【符号の説明】
【００４６】
１１    送風装置
１２    筐体
１３    ボール型ファン
１４    卓上設置台
１５ａ    外壁
１５ｂ    内壁
１６    吸込口
１７    ファン
１８    モータ
１９    高圧空気発生手段
２０    吹出口
２１    第一風路
２２    誘引空気吸込口
２３    誘引空気混合部
２４    誘引空気吹出口
２５    第二風路
２６    貫通壁
２７    支持部
２８    支持面
２９    基部
３０    回転軸
３１    軸受
３２    外部開口部
３３    支持面開口部
３４    設置台風路
３５    フィルター
３６    高さ調整手段
４０    機能性成分導入部
４１    撮像部
４２    撮像素子部
４３    検出部
４４    出力部
４６    吹出気流
４７    誘引気流
４８    対象物
４９    撮像領域
【図１】
2020002793.tif 000003
【図２】
2020002793.tif 000004
【図３】
2020002793.tif 000005
【図４】
2020002793.tif 000006
【図５】
2020002793.tif 000007
【図６】
2020002793.tif 000008
【図７】
2020002793.tif 000009